(57)【要約】【課題】ＶＰＳ／ＰＤＣ信号を使用して録画予約を登録し、且つタイムウインド内であってもテレビジョン放送の番組を視聴することができるようにすることを目的とする。【解決手段】放送開始時間が文字多重データ（ＶＰＳ／ＰＤＣ信号）として重畳されたテレビジョン放送信号を予約録画できるようにしたディスクレコーダにおいて、このＶＰＳ／ＰＤＣ信号を使用する予約録画を登録し、且つタイムウインド内にあるときにチャンネルスキャンをオフするチャンネルスキャンオフ手段２ａを設けたものである。【選択図】        図１
2004312383.tif 000002
【特許請求の範囲】
【請求項１】
放送開始時間が文字多重データ（ＶＰＳ／ＰＤＣ信号）として重畳されたテレビジョン放送信号を予約録画できるようにしたディスクレコーダにおいて、
前記ＶＰＳ／ＰＤＣ信号を使用する予約録画を登録し、且つタイムウインド内にあるときにチャンネルスキャンをオフするチャンネルスキャンオフ手段を設けたことを特徴とするディスクレコーダ。
【請求項２】
請求項１記載のディスクレコーダにおいて、
前記ＶＰＳ／ＰＤＣ信号を使用する予約録画を登録し、且つタイムウインド内にあるときにチャンネルスキャン中であり、番組を見るためにはチャンネルスキャンをオフする旨をモニター画面に表示する表示手段を設けたことを特徴とするディスクレコーダ。
【発明の詳細な説明】
【０００１】
【発明の属する技術分野】
本発明は放送開始時間が文字多重データ（ＶＰＳ（Ｖｉｄｅｏ  Ｐｒｏｇｒａｍｍｅ  Ｓｙｓｔｅｍ）／ＰＤＣ（Ｐｒｏｇｒａｍｍｅ  Ｄｅｌｉｖｅｒｙ  Ｃｏｎｔｒｏｌ）信号）として重畳されたテレビジョン放送信号を予約録画できるようにしたディスクレコーダに関する。
【０００２】
【従来の技術】
従来、欧州を中心として放送開始時間が文字多重データ（ＶＰＳ／ＰＤＣ信号）として重畳されたテレビジョン放送信号を予約録画できるようにしたディスクレコーダが提案されている。
【０００３】
この放送開始時間情報であるＶＰＳ／ＰＤＣ信号はテレビジョン放送信号のフィールド毎に重畳されており、録画予約した番組が臨時ニュース等の何等かの原因により放送開始時間がずれても、このＶＰＳ／ＰＤＣ信号を使用して予約録画したときにはこのＶＰＳ／ＰＤＣ信号の放送開始時間に従って録画するので目的とする番組を録画することができる。
【０００４】
【発明が解決しようとする課題】
然しながら、１個しかテレビチューナを有さないシングルチューナのディスクレコーダにおいて、このＶＰＳ／ＰＤＣ信号を使用して録画予約を行った場合、タイムウインド（Ｔｉｍｅ  Ｗｉｎｄｏｗ）内において予約録画対象のチャンネル例えば６チャンネルを所定時間毎に選局（以下チャンネルスキャンという）してＶＰＳ／ＰＤＣ信号を検出し、録画を実行可、不可の判断を行っている。
【０００５】
録画予約として例えば３月２４日０：００〜３：５９開始の予約を登録した場合、タイムウインドは３月２３日の２０：００〜３月２５日の４：００で、この間、予約対象チャンネルの選局（チャンネルスキャン）を行う如くしている。
【０００６】
また録画予約として例えば３月２４日４：００〜２３：５９開始の予約を登録した場合、タイムウインドは３月２４日の０：００〜３月２５日の４：００で、この間チャンネルスキャンを行う如くしている。
【０００７】
従って従来は、このシングルチューナのディスクレコーダにおいて、ＶＰＳ／ＰＤＣ信号を使用する録画予約が入っているときにはこのタイムウインド期間はテレビジョン放送を視聴することができない不都合があった。
【０００８】
本発明は斯る点に鑑み、ＶＰＳ／ＰＤＣ信号を使用して録画予約を登録し且つタイムウインド内であってもテレビジョン放送の番組を視聴することができるようにすることを目的とする。
【０００９】
【課題を解決するための手段】
本発明ディスクレコーダは放送開始時間が文字多重データ（ＶＰＳ／ＰＤＣ信号）として重畳されたテレビジョン放送信号を予約録画できるようにしたディスクレコーダにおいて、このＶＰＳ／ＰＤＣ信号を使用する予約録画を登録し、且つタイムウインド内にあるときにチャンネルスキャンをオフするチャンネルスキャンオフ手段を設けたものである。
【００１０】
一般にはＶＰＳ／ＰＤＣ信号を使用する予約録画を登録し、且つタイムウインド内にあるときはチャンネルスキャンが行われ、テレビジョン放送の番組を視聴することができないが、本発明によれば、このときのチャンネルスキャンをオフするチャンネルスキャンオフ手段を設けたので、このときにおいてもユーザの要望に応じて所望のチャンネルのテレビジョン放送の番組を視聴することができる。
【００１１】
【発明の実施の形態】
以下、図１〜図３を参照して本発明ディスクレコーダの実施の形態の例につき説明する。
【００１２】
図１において、１はテレビジョン放送信号を受信できるようにしたテレビジョン放送受信手段を示し、このテレビジョン放送受信手段１は１個のチューナ即ちシングルチューナ構成であり、欧州を中心として放送開始時間が文字多重データ（ＶＰＳ／ＰＤＣ信号）として重畳されたテレビジョン放送信号を受信できる如く構成されている。
【００１３】
この放送開始時間情報であるＶＰＳ／ＰＤＣ信号はテレビジョン放送信号のフィールド毎に重畳されており、録画予約したテレビジョン放送の番組が臨時ニュース等の何等かの原因により放送開始時間がずれても、このＶＰＳ／ＰＤＣ信号を使用して予約録画したときには、このＶＰＳ／ＰＤＣ信号の放送開始時間に従って録画するので、目的とする番組を録画することができる。
【００１４】
このテレビジョン放送受信手段１は、キーボード（リモートコマンダ等でも良い）２のキー操作により所望のチャンネルを受信できる如くなされると共に、このテレビジョン受信手段１により受信された所望チャンネルのテレビジョン放送信号を後述するセレクタコントローラ３を介してモニター４に供給される如くなされ、このモニター４により、この受信したテレビジョン放送信号を視聴できる如くなされている。
【００１５】
図１において、５は録画予約制御手段で、この録画予約制御手段５はマイクロコンピュータ等より成り、予約テーブル５ａ、ＶＰＳ／ＰＤＣオフ録画予約制御手段５ｂ及びＶＰＳ／ＰＤＣオン録画予約制御手段５ｃを有している。
【００１６】
この予約テーブル５ａにはユーザがキーボード２を使用し録画予約を行ったときにこの録画予約の内容例えば予約時刻、ＶＰＳ／ＰＤＣ信号を使用する（ＶＰＳ／ＰＤＣオン録画予約）がＶＰＳ／ＰＤＣ信号を使用しない（ＶＰＳ／ＰＤＣオフ録画予約）か等を登録する如くする。
【００１７】
ＶＰＳ／ＰＤＣオフ録画予約制御手段５ｂはＶＰＳ／ＰＤＣ信号を使用しない録画予約を制御する手段で、タイマー６よりの時刻を管理し、予約時間となったときに、予約したチャンネル例えば６チャンネルのテレビジョン放送受信手段１で受信したテレビジョン放送信号をセレクタコントローラ３及び録画予約制御手段５を介してディスクプレーヤ７に供給し、このディスクプレーヤ７でこのテレビジョン放送信号をディスクに録画する如く制御する。
【００１８】
またＶＰＳ／ＰＤＣオン録画予約制御手段５ｃはＶＰＳ／ＰＤＣ信号を使用する録画予約を制御する手段である。このＶＰＳ／ＰＤＣオン録画予約制御手段５ｃはＶＰＳ／ＰＤＣ信号を使用する録画予約がされたときに所定の約束に従ってタイムウインド（Ｔｉｍｅ  Ｗｉｎｄｏｗ）を決定する。
【００１９】
このＶＰＳ／ＰＤＣ信号を使用した録画予約として例えば３月２４日０：００〜３：５９開始の予約を予約テーブル５ａに登録したとき、このタイムウインドは３月２３日の２０：００〜３月２５日の４：００である。
【００２０】
また、この録画予約として例えば３月２４日４：００〜２３：５９開始の予約を予約テーブル５ａに登録したとき、このタイムウインドは３月２４日の０：００〜３月２５日の４：００である。
【００２１】
このＶＰＳ／ＰＤＣオン録画予約制御手段５ｃは、このタイムウインド期間の所定時間毎にテレビジョン放送受信手段において予約対象チャンネル例えば６チャンネルの選局（チャンネルスキャン）を行いテレビジョン放送信号に重畳したＶＰＳ／ＰＤＣ信号をセレクタコントローラ３を介して取得して管理し、このＶＰＳ／ＰＤＣ信号が録画予約時間となったときに、予約したチャンネル例えば６チャンネルのテレビジョン放送受信手段１で受信したテレビジョン放送信号をセレクタコントローラ３及び録画予約制御手段５を介してディスクプレーヤ７に供給し、このテレビジョン放送信号をこのディスクプレーヤ７でディスクに録画する如く制御する。
【００２２】
本例においては、このＶＰＳ／ＰＤＣオン録画予約制御手段５ｃは、このタイムウインド期間の予約対象チャンネルの選局（チャンネルスキャン）を行う期間モニター４に表示信号を送信し、このモニター４の画面に「チャンネルスキャン中です。番組を見るためにはＳｃａｎ  Ｏｆｆにしてください。」と表示する如くする。
【００２３】
また本例においてはキーボード２にスキャンオフ（Ｓｃａｎ  Ｏｆｆ）キー２ａを、このスキャンオフキー２ａを操作したときにはセレクタコントローラ３を制御し、テレビジョン放送受信手段１で受信したテレビジョン放送信号をモニター４に供給し、モニター４でこのテレビジョン放送信号を視聴できる如くする。この場合テレビジョン放送受信手段１はキーボード２で任意のチャンネルを選局できる。
【００２４】
このスキャンオフキー２を操作したときには録画予約制御手段５はＶＰＳ／ＰＤＣ信号を使用しないＶＰＳ／ＰＤＣオフ録画予約となる。
【００２５】
図１例では、また更にキーボード２でディスクプレーヤ７の再生を制御できる。このディスクプレーヤ７を再生状態としたときには、このディスクプレーヤ７よりの再生信号を再生手段８を介してモニター４に供給し、この再生信号をこのモニター４で視聴する如くする。図１例のディスクレコーダはその他は従来と同様に構成する。
【００２６】
次にこの図１例のディスクレコーダの録画予約の動作につき図２、図３のフローチャートを使用して説明する。
【００２７】
キーボード２で録画予約を行った（ステップＳ１）ときには録画予約制御手段５の予約テーブル５ａにこの録画予約の内容が登録される（ステップＳ２）。
【００２８】
次にこの録画予約の内容がＶＰＳ／ＰＤＣ信号を使用するかどうかが判断され（ステップＳ３）、ＶＰＳ／ＰＤＣ信号を使用しない録画予約のときは、ＶＰＳ／ＰＤＣオフ録画予約制御手段５ｂを使用しタイマー６を管理してタイマー予約により録画する如くする（ステップＳ４）。
【００２９】
ＶＰＳ／ＰＤＣ信号を使用する録画予約のときは予約時刻に応じたタイムウインドを決定する（ステップＳ５）。その後現時刻を取得し（ステップＳ６）、この現時刻がステップＳ５で決定したタイムウインド内にあるかどうかを判断する（ステップＳ７）。
【００３０】
この現時刻がこのタイムウインド内にないときにはこのディスクレコーダは通常動作をし（ステップＳ８）、このステップＳ６，Ｓ７，Ｓ８の動作を繰り返す。
【００３１】
次に現時刻がタイムウインド内に入ったときにはＶＰＳ／ＰＤＣオン録画予約制御手段５ｃは所定時間毎にテレビジョン放送受信手段１において、予約対象チャンネル例えば６チャンネルの選局（チャンネルスキャン）を行いテレビジョン放送信号に重畳したＶＰＳ／ＰＤＣ信号をセレクタコントローラ３を介して取得して管理する（ステップＳ９）。
【００３２】
このチャンネルスキャンモード（ステップＳ９）となったときは図３に示す如く、ＶＰＳ／ＰＤＣオン録画予約制御手段５ｃはモニター４の画面に「チャンネルスキャン中です。番組を見るためにはＳｃａｎ  Ｏｆｆにしてください。」と表示する（ステップＳ１０）。
【００３３】
次にスキャンオフキー２ａが操作されたかどうかを判断する（ステップＳ１１）。ユーザが所望のチャンネル例えば８チャンネルの番組を視聴したくなったときはこのスキャンオフキー２ａを操作したときは、ＶＰＳ／ＰＤＣオフ録画予約制御手段５ｂによるタイマー予約になる（ステップＳ１２）と共にテレビジョン放送受信手段１よりのユーザの所望チャンネル例えば８チャンネルのテレビジョン放送信号がセレクタコントローラ３を介してモニター４に供給される如くなされ、ユーザが所望チャンネルの番組を視聴することができる（ステップＳ１３）。
【００３４】
ステップＳ１１でスキャンオフキー２ａが操作されないときは、ＶＰＳ／ＰＤＣ信号が予約時刻になったかが判断され（ステップＳ１４）、ＶＰＳ／ＰＤＣ信号が予約時刻にならないときはステップＳ１０に戻り、ＶＰＳ／ＰＤＣ信号が予約時刻になったときはＶＰＳ／ＰＤＣ信号を使用した予約録画が実行される。
【００３５】
一般にはＶＰＳ／ＰＤＣ信号を使用する予約録画を登録し、且つタイムウインド内にあるときにはチャンネルスキャンが行われ、テレビジョン放送の番組を視聴することができないが、本例によれば、このときのチャンネルスキャンをオフするスキャンオフキー２ａを設けて、このスキャンオフキー２ａの操作によりチャンネルスキャンをオフするようにしたので、このときにおいてもユーザの要望に応じて所望のチャンネルのテレビジョン放送の番組を視聴することができる。
【００３６】
なお、上述例において、録画予約制御手段５は、スキャンオフに設定された場合にはタイマー６に基づき時刻どおりに録画するよう制御したが、これはこのように限定されるものではなく、スキャンオフに設定された場合には、ＶＰＳ／ＰＤＣオンの予約を行わず、ＶＰＳ／ＰＤＣオフの予約録画のみを実行するような構成であってもよい。
【００３７】
また上述例においてはチャンネルスキャンをオフするチャンネルスキャンオフ手段としてスキャンオフキー２ａを設けたが、この代わりにスイッチ等その他のものであっても良いことは勿論である。
【００３８】
また本発明は上述例に限ることなく本発明の要旨を逸脱することなくその他種々の構成が採り得ることは勿論である。
【００３９】
【発明の効果】
一般にはＶＰＳ／ＰＤＣ信号を使用する予約録画を登録し、且つタイムウインド内にあるときにはチャンネルスキャンが行われ、テレビジョン放送の番組を視聴することができないが、本発明によれば、このときのチャンネルスキャンをオフするチャンネルスキャンオフ手段を設けたので、このときにおいてもユーザの要望に応じて所望のチャンネルのテレビジョン放送の番組を視聴することができる。
【図面の簡単な説明】
【図１】本発明ディスクレコーダの実施の形態の例を示す構成図である。
【図２】本発明の説明に供するフローチャートである。
【図３】本発明の説明に供するフローチャートである。
【符号の説明】
１‥‥テレビジョン放送受信手段、２‥‥キーボード、２ａ‥‥スキャンオフキー、３‥‥セレクタコントローラ、４‥‥モニター、５‥‥録画予約制御手段、５ａ‥‥予約テーブル、５ｂ‥‥ＶＰＳ／ＰＤＣオフ録画予約制御手段、５ｃ‥‥ＶＰＳ／ＰＤＣオン録画予約制御手段、６‥‥タイマー、７‥‥ディスクプレーヤ、８‥‥再生手段
【図１】
2004312383.tif 000003
【図２】
2004312383.tif 000004
【図３】
2004312383.tif 000005